(57)【要約】【課題】発光素子基板とレンズアレイとの間への塵埃の侵入を抑えて、良好な露光を可能とする技術を提供する。【解決手段】第１の方向にレンズが配設されたレンズアレイと、レンズに入射する光を発光する発光素子が配設された発光素子基板と、第１の方向と直交する第２の方向の長さがレンズアレイより短く、発光素子から発光されてレンズを通った光を透過する光透過性基板と、光透過性基板に接続されて、光透過性基板、レンズアレイ、発光素子基板を覆うシール部材と、を備える。【選択図】図９
2011083962.tif 000002
【特許請求の範囲】
【請求項１】
第１の方向にレンズが配設されたレンズアレイと、
前記レンズに入射する光を発光する発光素子が配設された発光素子基板と、
前記第１の方向と直交する第２の方向の長さが前記レンズアレイより短く、前記発光素子から発光されて前記レンズを通った光を透過する光透過性基板と、
前記光透過性基板に接続されて、前記光透過性基板、前記レンズアレイ、前記発光素子基板を覆うシール部材と、
を備えることを特徴とする露光ヘッド。
【請求項２】
前記シール部材が前記発光素子基板に接続されている請求項１に記載の露光ヘッド。
【請求項３】
前記シール部材はテンションが与えられている請求項２に記載の露光ヘッド。
【請求項４】
前記シール部材は、光を遮断する遮光性シール部材である請求項１ないし３のいずれか一項に記載の露光ヘッド。
【請求項５】
第１の方向にレンズが配設されたレンズアレイ、前記レンズに入射する光を発光する発光素子が配設された発光素子基板、前記第１の方向と直交する第２の方向の長さが前記レンズアレイより短く、前記発光素子から発光されて前記レンズを通った光を透過する光透過性基板、および、前記光透過性基板に接続されて、前記光透過性基板、前記レンズアレイ、前記発光素子基板を覆うシール部材を備えた露光ヘッドと、
前記露光ヘッドにより潜像が形成される潜像担持体と、
前記潜像担持体に形成された前記潜像を現像する現像部と、を有することを特徴とする画像形成装置。
【発明の詳細な説明】
【技術分野】
【０００１】
この発明は、レンズアレイを用いた露光ヘッドおよび画像形成装置に関する。
【背景技術】
【０００２】
特許文献１では、複数のレンズを長手方向にアレイ状に配列したレンズアレイを用いた露光ヘッドが提案されている。つまり、この露光ヘッドでは、レンズアレイに対向して発光素子基板（同文献のヘッド基板）が配置されており、しかも、この発光素子基板にはレンズアレイの各レンズに対向して発光素子が配置されている。そして、発光素子基板の発光素子が射出した光が、レンズアレイのレンズを透過した後にスポットとして被露光面に照射される。こうして、露光ヘッドにより被露光面を露光することができる。
【先行技術文献】
【特許文献】
【０００３】
【特許文献１】特開２００９−０３７１９９号公報
【発明の概要】
【発明が解決しようとする課題】
【０００４】
ところで、このように発光素子基板の発光素子からの光をレンズアレイのレンズに入射させる露光ヘッドでは、発光素子基板とレンズアレイとの間に侵入する塵埃が問題となる場合があった。なぜなら、発光素子からレンズアレイに向かう光がこの塵埃に散乱されて、スポット形成に供する光の量が低下してしまい、その結果、良好な露光が実現できないおそれがあるからである。
【０００５】
この発明は上記課題に鑑みてなされたものであり、発光素子基板とレンズアレイとの間への塵埃の侵入を抑えて、良好な露光を可能とする技術の提供を目的とする。
【課題を解決するための手段】
【０００６】
この発明にかかる露光ヘッドは、上記目的を達成するために、第１の方向にレンズが配設されたレンズアレイと、レンズに入射する光を発光する発光素子が配設された発光素子基板と、第１の方向と直交する第２の方向の長さがレンズアレイより短く、発光素子から発光されてレンズを通った光を透過する光透過性基板と、光透過性基板に接続されて、光透過性基板、レンズアレイ、発光素子基板を覆うシール部材と、を備えることを特徴としている。
【０００７】
この発明にかかる画像形成装置は、上記目的を達成するために、第１の方向にレンズが配設されたレンズアレイ、レンズに入射する光を発光する発光素子が配設された発光素子基板、第１の方向と直交する第２の方向の長さがレンズアレイより短く、発光素子から発光されてレンズを通った光を透過する光透過性基板、および、光透過性基板に接続されて、光透過性基板、レンズアレイ、発光素子基板を覆うシール部材を備えた露光ヘッドと、露光ヘッドにより潜像が形成される潜像担持体と、潜像担持体に形成された潜像を現像する現像部と、を有することを特徴としている。
【０００８】
このように構成された発明（露光ヘッド、画像形成装置）では、第１の方向にレンズが配設されたレンズアレイと、レンズに入射する光を発光する発光素子が配設された発光素子基板と、発光素子から発光されてレンズを通った光を透過する光透過性基板とが設けられており、つまり、発光素子基板、当該発光素子基板に対向するレンズアレイ、および光透過性基板がこの順番に配設されている。さらに、光透過性基板にはシール部材が接続されており、このシール部材が光透過性基板、レンズアレイ、発光素子基板を覆っている。したがって、発光素子基板とレンズアレイとの間への塵埃の侵入を、このシール部材により抑制することができるため、良好な露光が実現可能となっている。
【０００９】
ちなみに、このような構成では、シール部材を設けたことで発生する応力が、光透過性基板を介してレンズアレイを湾曲させる方向に作用して、その結果で生じたレンズアレイの湾曲が良好な露光実現の妨げとなるおそれがある。また、光透過性基板から引き出されるシール部材と当該光透過性基板との角度が大きいほど、光透過性基板を介してレンズアレイを湾曲させようとする力が大きくなると考えられる。したがって、レンズアレイの湾曲を抑制して良好な露光を確実に実現するという観点からは、光透過性基板から引き出されるシール部材と当該光透過性基板との角度を小さく抑えることが好適となる。そこで、この発明では、レンズアレイの第２の方向の長さを光透過性基板の第２の方向の長さよりも長く構成している。つまり、このように構成した場合、レンズアレイが光透過性基板よりも第２の方向に突出して、このレンズアレイの第２の方向の一端がシール部材を光透過性基板の外側に突き出す。そのため、シール部材は光透過性基板から一定以下の角度で引き出されることとなる。こうして、この発明では、光透過性基板から引き出されるシール部材と当該光透過性基板との角度を小さく抑えて、レンズアレイの湾曲を抑制し、良好な露光を確実に実現することが可能となっている。
【００１０】
この際、シール部材は発光素子基板に接続されても良い。さらには、シール部材はテンションが与えられていても良い。そして、このような構成に対しては、本発明を適用することが特に好適となる。なぜなら、シール部材にテンションが与えられている場合、シール部材を設けたことによる応力が大きく、上述のようなレンズアレイの湾曲に起因した問題が顕著となるおそれがあるため、予めこの問題を抑制しておくことが好適であるからである。
【００１１】
また、シール部材は、光を遮断する遮光性シール部材であっても良い。このような構成では、塵埃のみならず、発光素子基板とレンズアレイの間への迷光の侵入も抑制することができるため、迷光に起因したゴースト発生等の問題も容易に抑制することが可能となる。
【図面の簡単な説明】
【００１２】
【図１】本発明を適用可能な画像形成装置の一例を示す図。
【図２】図１の画像形成装置が備える電気的構成を示すブロック図。
【図３】ラインヘッドの概略を示す部分斜視図。
【図４】厚さ方向ＴＫＤからヘッド基板を平面視した部分平面図。
【図５】ラインヘッドのＡ−Ａ線における部分断面図。
【図６】ラインヘッドの部分側面図。
【図７】レンズアレイＬＡ1の支持態様を示す部分平面図。
【図８】レンズアレイＬＡ2の支持態様を示す部分平面図。
【図９】レンズアレイＬＡ2と支持ガラスＳＳとの配置関係を示すＡ−Ａ線断面図。
【図１０】本実施形態で奏される作用の説明図。
【発明を実施するための形態】
【００１３】
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１４】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１５】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００１６】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００１７】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００１８】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００１９】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２０】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２１】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２２】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２３】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２４】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２５】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００２６】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００２７】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００２８】
図３は、ラインヘッドの概略を示す部分斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。また、以後の実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００２９】
なお、この厚さ方向ＴＫＤは、後述するレンズアレイＬＡ1のレンズＬＳ1とレンズアレイＬＡ2のレンズＬＳ2とが構成する結像光学系の光軸ＯＡ（図５）に平行である。ここで、光軸は次のように定義される。結像光学系は多くの場合、主走査方向ＭＤに垂直な対称面に関して面対称（鏡映対称）であり、かつ、副走査方向ＳＤに垂直な対称面に関して面対称（鏡映対称）である。このように、結像光学系は、主走査方向に垂直な第１対称面、および当該主走査方向ＭＤと直交する副走査方向ＳＤに垂直な第２対称面を有し、第１対称面と第２対称面の交線が定まる。結像光学系が回転対称である場合には、前述の第１対称面と第２対称面の交線は光軸と一致する。結像光学系が回転対称でない場合、厳密には結像光学系の光軸が定義されない場合があるが、そのような場合には、前述の交線を光軸として取り扱えばよい。
【００３０】
ラインヘッド２９は、ヘッド基板２９３、遮光部材２９７、レンズアレイＬＡ1およびレンズアレイＬＡ2をこの順番で厚さ方向ＴＫＤに配置した概略構成を備えている。ヘッド基板２９３の裏面には、複数の発光素子Ｅが所定個数毎に発光素子グループＥＧとしてグループ化されて二次元的かつ離散的に配置されている。また、ヘッド基板２９３の裏面には、これら複数の発光素子Ｅを封止するための封止部材２９４が取り付けられており、さらに、この封止部材２９４の裏面にはラインヘッド２９を構成する上記各部材を支持するための剛性部材２９９が取り付けられている。
【００３１】
ヘッド基板２９３とレンズアレイＬＡ1との間にはスペーサーＳＰ1が設けられており、このスペーサーＳＰ1がヘッド基板２９３とレンズアレイＬＡ1との間隔を規定する。なお、ヘッド基板２９３とレンズアレイＬＡ1との間には遮光部材２９７が配置されており、スペーサーＳＰ1は、遮光部材２９７に対して厚さ方向ＴＫＤ一方側で若干の間隔を空けてレンズアレイＬＡ1を支持する。また、レンズアレイＬＡ1とレンズアレイＬＡ2との間にはスペーサーＳＰ2が設けられており、このスペーサーＳＰ2がレンズアレイＬＡ1とレンズアレイＬＡ2との間隔を規定しながらレンズアレイＬＡ2を支持する。
【００３２】
こうしてラインヘッド２９では、ヘッド基板２９３、遮光部材２９７およびレンズアレイＬＡ1、ＬＡ2がこの順番で並んでいる。そして、ヘッド基板２９３の発光素子Ｅからの光が、遮光部材２９７の導光孔２９７１を通過して、レンズアレイＬＡ1、ＬＡ2のレンズＬＳ1、ＬＳ2により結像される。次に、各部材の詳細な構成について、図３、図４および図５を用いつつ説明する。
【００３３】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、ラインヘッドのＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ３個の発光素子グループＥＧ（あるいは、３枚のレンズＬＳ1等）の各幾何重心（あるいは、各レンズ中心）を通る。また、図４に示す方向Ｄlscは、Ａ−Ａ線に平行な方向である。さらに、図４では、ヘッド基板２９３に形成された発光素子グループＥＧ、レンズアレイＬＡ1に形成されたレンズＬＳ1およびレンズアレイＬＡ2に形成されたレンズＬＳ2の位置関係を示すために、レンズＬＳ1およびレンズＬＳ2がそれぞれ一点鎖線で併記されている。ちなみに、レンズＬＳ1およびレンズＬＳ2についての図中記載は、これらの位置関係を示すためのものであり、レンズＬＳ1およびレンズＬＳ2がヘッド基板裏面２９３−t（図５）に形成されていることを示すものではない。また、図５において、光透過性（つまり透明）である部材には、点の集合からなるハッチングが施されている。
【００３４】
ヘッド基板２９３は光を透過するガラス基板で構成されており、ヘッド基板裏面２９３−tでは、ボトムエミッション型の有機ＥＬ（Electro-Luminescence）素子である発光素子Ｅが複数形成されて、封止部材２９４により封止されている（図３、図５）。これら複数の発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、１５個の発光素子Ｅが長手方向ＬＧＤに２行千鳥で配置されて１個の発光素子グループＥＧが構成されており、さらに複数の発光素子グループＥＧが長手方向ＬＧＤに３行千鳥で離散的に配置されている。
【００３５】
より詳しくは、この配置態様は次のように説明することができる。つまり、各発光素子グループＥＧ内では、１５個の発光素子Ｅが長手方向ＬＧＤの互いに異なる位置に配置されており、しかも長手方向ＬＧＤにおける位置が隣り合う２つの発光素子Ｅ、Ｅの長手方向ＬＧＤへの距離は素子間距離Ｐelとなっている（言い換えれば、各発光素子グループＥＧ内では、１５個の発光素子ＥがピッチＰelで長手方向ＬＧＤに配置されている）。そして、素子間距離Ｐelよりも長いグループ間距離Ｐegを空けて複数の発光素子グループＥＧが長手方向ＬＧＤに沿って離散的に並んで、１行の発光素子グループ行ＧＲa等が構成されている。さらに、３行の発光素子グループ行ＧＲa、ＧＲb、ＧＲcが距離Ｄtだけ空けて幅方向ＬＴＤの異なる位置に離散的に配置されており、しかも、発光素子グループ行ＧＲa、ＧＲb、ＧＲcのそれぞれは、長手方向ＬＧＤに距離Ｄgだけ相互にシフトされている。こうして、３個の発光素子グループＥＧが、長手方向ＬＧＤに距離Ｄgを空けるとともに幅方向ＬＴＤに距離Ｄtを空けて、方向Ｄlscに一列に並ぶ。
【００３６】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。
【００３７】
このようにヘッド基板２９３の裏面２９３−tには、複数の発光素子グループＥＧが二次元的かつ離散的に配置されている。一方、ヘッド基板２９３の表面２９３−hには、遮光部材２９７が配置されている。遮光部材２９７には厚さ方向ＴＫＤに貫通する導光孔２９７１が複数形成されている。各導光孔２９７１は厚さ方向ＴＫＤからの平面視において円形状を有しており、その内壁には黒色メッキが施されている。この導光孔２９７１は、発光素子グループＥＧ毎に１個ずつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００３８】
このような遮光部材２９７を設ける目的は、いわゆる迷光がレンズＬＳ1、ＬＳ2に入射するのを抑制するためである。つまり、各発光素子グループＥＧには、レンズＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられているため、迷光の多くは導光孔２９７１の内壁で吸収されることとなる。その結果、先ほどのゴーストを抑制して、良好な露光動作の実現が図られる。
【００３９】
そして、上述のとおり、これらヘッド基板２９３および遮光部材２９７の厚さ方向ＴＫＤの一方側には、レンズアレイＬＡ1およびレンズアレイＬＡ2が設けられており、さらに、レンズアレイＬＡ2の一方側には当該レンズアレイＬＡ2を支持する支持ガラスＳＳが設けられている。そして、支持ガラスＳＳからヘッド基板２９３までを、幅方向ＬＴＤの両側から覆うようにしてシールテープＳＬが設けられている。なお、このシールテープＳＬの取り付け態様については、後に詳述することとする。
【００４０】
そして、この実施形態では、厚さ方向ＴＫＤに互いに対向するレンズアレイＬＡ1のレンズＬＳ1とレンズアレイＬＡ2のレンズＬＳ2とが１個の結像光学系を構成する。この結像光学系は、反転した縮小像を形成するものであり、その横倍率は負であるとともに１未満の絶対値を有している。したがって、発光素子Ｅから射出された光ビームは、レンズＬＳ1、ＬＳ2を透過した後に支持ガラスＳＳの表面ＳＳ−hから射出されてスポットＳＴとして感光体ドラム２１表面に照射される（図５）。そして、特開２００８−０３６９３７号公報の図１１等に記載のように、感光体ドラム２１表面の副走査方向ＳＤへの移動に応じて各発光素子Ｅの発光を制御することで、主走査方向ＭＤに伸びるライン潜像を形成することができる。
【００４１】
また、この実施形態では、厚さ方向ＴＫＤに設けられたレンズアレイＬＡ1、ＬＡ2を支持するためにスペーサーＳＰ1、ＳＰ2が設けられている。以下に、これらレンズアレイＬＡ1、ＬＡ2の支持構造の詳細について、図３〜図５に加えて図６、図７、図８を用いて説明する。
【００４２】
図６は、ラインヘッドの部分側面図であり、幅方向ＬＴＤからラインヘッド２９を平面視した場合に相当する。なお、同図においてシールテープＳＬの記載は省略されている。図７は、レンズアレイＬＡ1の支持態様を示す部分平面図であり、厚さ方向ＴＫＤから平面視した場合に相当する。図８は、レンズアレイＬＡ2の支持態様を示す部分平面図であり、厚さ方向ＴＫＤから平面視した場合に相当する。
【００４３】
ヘッド基板２９３の表面では、互いに同一の形状・大きさを有する複数のスペーサーＳＰ1が長手方向ＬＧＤに間隔ＣＬ1を空けて一列に並んでいる。また、このスペーサーＳＰ1の列は、幅方向ＬＴＤの両側に設けられている（図３、図５、図７）。こうして、厚さ方向ＴＫＤからの平面視において、スペーサーＳＰ1の列が、ヘッド基板裏面２９３−tの発光素子Ｅが形成された領域を幅方向ＬＴＤから挟んで２列配置されることとなる（換言すれば、遮光部材２９７を幅方向ＬＴＤから挟んで２列配置されることとなる）。なお、これらのスペーサーＳＰ1は、ヘッド基板２９３の表面２９３−hに接着剤等により固定されている。
【００４４】
このようにして、２列に配置されたスペーサーＳＰ1に対して、レンズアレイＬＡ1が幅方向ＬＴＤに架設されており、これにより、レンズアレイＬＡ1がヘッド基板２９３の厚さ方向ＴＫＤの一方側で位置決めされる。このとき、レンズアレイＬＡ1のレンズＬＳ1が形成された領域が、幅方向ＬＴＤに並ぶ２列のスペーサーＳＰ1の列の間に位置するように、レンズアレイＬＡ1は配置される。このレンズアレイＬＡ1は、長手方向ＬＧＤの両端が斜めに（方向Ｄlscと平行に）カットされた平行四辺形形状のガラス基板ＳＢを有している。そして、このガラス基板ＳＢの裏面には、光硬化性樹脂で形成された複数のレンズＬＳ1がアレイ配置されている。これら複数のレンズＬＳ1は、対向する発光素子グループＥＧの配置に対応して３行千鳥で配置されている（図４）。
【００４５】
そして、図３、図６、図７に示すように、複数のレンズアレイＬＡ1が長手方向ＬＧＤに並んで配設されている。つまり、この実施形態では、長手方向ＬＧＤに並ぶ複数のレンズアレイＬＡ1をスペーサーＳＰ1が支持して、１つの長尺レンズアレイＬ−ＬＡ1が構成されている。ちなみに、直方形状を有するスペーサーＳＰ1の長さＬsp1は、レンズアレイＬＡ1の幅方向ＬＴＤの端辺の長手方向ＬＧＤの長さＬla1より短く、１枚のレンズアレイＬＡ1は、長手方向ＬＧＤに並ぶ複数のスペーサーＳＰ1で支持される。具体的には、これらスペーサーＳＰ1のうち、中央スペーサーＳＰ1−bはレンズアレイＬＡ1の長手方向ＬＧＤの略中央を支持し、端部スペーサーＳＰ1−aは長手方向ＬＧＤに隣り合う２枚のレンズアレイＬＡ1、ＬＡ1の隙間ＢＤ1を跨いで、該レンズアレイＬＡ1、ＬＡ1を支持する。なお、スペーサーＳＰ1とレンズアレイＬＡ1とは接着剤等により固定されている。
【００４６】
このようにして構成された長尺レンズアレイＬ−ＬＡ1の厚さ方向ＴＫＤの一方面には、互いに同一の形状・大きさを有する複数のスペーサーＳＰ2が長手方向ＬＧＤに間隔ＣＬ2を空けて一列に並んでいる。また、このスペーサーＳＰ2の列は、幅方向ＬＴＤの両側に設けられている（図３、図５、図８）。こうして、厚さ方向ＴＫＤからの平面視において、スペーサーＳＰ2の列が、レンズアレイＬＡ1のレンズＬＳ1が形成された領域を幅方向ＬＴＤから挟んで２列配置されることとなる。なお、これらのスペーサーＳＰ2は、レンズアレイＬＡ1のガラス基板ＳＢの表面に接着剤等により固定されている。
【００４７】
このようにして、２列に配置されたスペーサーＳＰ2に対して、レンズアレイＬＡ2が幅方向ＬＴＤに架設されており、これにより、レンズアレイＬＡ2がレンズアレイＬＡ1の厚さ方向ＴＫＤの一方側で位置決めされる。このとき、レンズアレイＬＡ2のレンズＬＳ2が形成された領域が、幅方向ＬＴＤに並ぶ２列のスペーサーＳＰ2の列の間に位置するように、レンズアレイＬＡ2は配置される。このレンズアレイＬＡ2は、長手方向ＬＧＤの両端が斜めに（方向Ｄlscと並行に）カットされた平行四辺形形状のガラス基板ＳＢを有している。そして、このガラス基板ＳＢの裏面には、光硬化性樹脂で形成された複数のレンズＬＳ2がアレイ配置されている。これら複数のレンズＬＳ2は、対向する発光素子グループＥＧの配置に対応して３行千鳥で配置されている（図４）。
【００４８】
そして、図３、図６、図８に示すように、複数のレンズアレイＬＡ2が長手方向ＬＧＤに並んで配設されている。つまり、この実施形態では、長手方向ＬＧＤに並ぶ複数のレンズアレイＬＡ2をスペーサーＳＰ2が支持して、１つの長尺レンズアレイＬ−ＬＡ2が構成されている。ちなみに、直方形状を有するスペーサーＳＰ2の長さＬsp2は、レンズアレイＬＡ2の幅方向ＬＴＤの端辺の長手方向ＬＧＤの長さＬla2より短く、１枚のレンズアレイＬＡ2は、長手方向ＬＧＤに並ぶ複数のスペーサーＳＰ2で支持される。具体的には、これらスペーサーＳＰ2のうち、中央スペーサーＳＰ2−bはレンズアレイＬＡ2の長手方向ＬＧＤの略中央を支持し、端部スペーサーＳＰ2−aは長手方向ＬＧＤに隣り合う２枚のレンズアレイＬＡ2、ＬＡ2の隙間ＢＤ2を跨いで、該レンズアレイＬＡ2、ＬＡ2を支持する。なお、スペーサーＳＰ2とレンズアレイＬＡ2とは接着剤等により固定されている。
【００４９】
こうして２枚のレンズアレイＬＡ1およびレンズアレイＬＡ2は厚さ方向ＴＫＤに対向して配置されている。その結果、レンズアレイＬＡ1の複数のレンズＬＳ1とレンズアレイＬＡ2の複数のレンズＬＳ2とは一対一の対応関係で対向しており、互いに対向するレンズＬＳ1とレンズＬＳ2とは厚さ方向ＴＫＤからの平面視において重なり合うように、レンズアレイＬＡ1、ＬＡ2は位置調整がされている。
【００５０】
さらに、この実施形態では、長手方向ＬＧＤに長尺な平板形状を有する支持ガラスＳＳが設けられている。詳述すると、長手方向ＬＧＤにおいて、この支持ガラスＳＳはレンズアレイＬＡ2よりも長く形成されて、長尺レンズアレイＬ−ＬＡ2と略同じ長さを備えている。そして、この支持ガラスＳＳが長尺レンズアレイＬ−ＬＡ2の一方面に取り付けられており、言わば、支持ガラスＳＳが複数のレンズアレイＬＡ2をスペーサーＳＰ2の逆側から支持している。そして、この支持ガラスＳＳの表面ＳＳ−h（一方平面）が、感光体ドラム２１の表面に対してクリアランスを空けて対向・露出している。
【００５１】
そして、上述のとおりこの実施形態では、ラインヘッド２９の内部（レンズアレイＬＡ2とヘッド基板２９３との間）を、幅方向ＬＴＤから覆う可撓性のシールテープＳＬが設けられている。具体的には、支持ガラス表面ＳＳ−hの幅方向ＬＴＤの端にシールテープＳＬの一端Ｓe1が接着（接続）されるとともに、ヘッド基板表面２９３-hの幅方向ＬＴＤの端にシールテープＳＬの他端Ｓe2が接着（接続）されている。ちなみに、幅方向ＬＴＤにおいてヘッド基板２９３の端はスペーサーＳＰ1よりも突出しており、この突出部分にシールテープＳＬの他端Ｓe2が接着される。こうして、支持ガラスＳＳからヘッド基板２９３までの範囲（レンズアレイＬＡ1、ＬＡ2およびヘッド基板２９３）をシールテープＳＬが幅方向ＬＴＤ側から覆う。また、このようなシールテープＳＬは幅方向ＬＴＤの両側に設けられている。
【００５２】
また、このシールテープＳＬはテンションが与えられた状態で張られており、ラインヘッド２９の幅方向ＬＴＤの端部形状に沿っている。この点について、図５および図９を用いて説明する。ここで、図９はレンズアレイＬＡ2と支持ガラスＳＳとの配置関係を示すＡ−Ａ線断面図であり、同断面を長手方向ＬＧＤから見た場合に相当する。
【００５３】
図５および図９に示すように、幅方向ＬＴＤにおいて、支持ガラスＳＳの幅ＷssよりもレンズアレイＬＡ2（のガラス基板ＳＢ）の幅Ｗla2の方が広く、幅方向ＬＴＤにおいてレンズアレイＬＡ2の両端は支持ガラスＳＳの両端から突出している（換言すれば、厚さ方向ＴＫＤからの平面視でレンズアレイＬＡ2の幅方向ＬＴＤの両端が支持ガラスＳＳの幅方向ＬＴＤの両端から突出している）。一方、幅方向ＬＴＤにおいてレンズアレイＬＡ1とレンズアレイＬＡ2とは同じ幅を備えており、しかも、スペーサーＳＰ1、レンズアレイＬＡ1、スペーサーＳＰ2およびレンズアレイＬＡ2の幅方向ＬＴＤの端面は面一に揃っている。そして、これら各部材の幅方向ＬＴＤの外壁面に対して、可撓性のシールテープＳＬがテンションを付与された状態で接している。
【００５４】
つまり、支持ガラスＳＳの幅方向ＬＴＤの端から引き出されたシールテープＳＬは、ピンと張られた状態で、レンズアレイＬＡ2（のガラス基板ＳＢ）の幅方向ＬＴＤの端辺に掛けらた後にヘッド基板２９３まで引き出されて当該ヘッド基板に接着されている。この際、シールテープＳＬにはテンションが付与されているので、支持ガラスＳＳの端からレンズアレイＬＡ2の端までの間では、シールテープＳＬは支持ガラスＳＳおよびレンズアレイＬＡ2から離れて接触していない。一方、レンズアレイＬＡ2の端からヘッド基板２９３に至るまでの各部材の外壁面は面一であるので、シールテープＳＬは当該外壁面に密着した状態で張られている。
【００５５】
このように本実施形態のラインヘッド２９では、レンズアレイＬＡ2をヘッド基板２９３の反対側から支持する支持ガラスＳＳが設けられている。つまり、ヘッド基板２９３、当該ヘッド基板２９３に対向するレンズアレイＬＡ2、および当該レンズアレイＬＡ2を支持する支持ガラスＳＳがこの順番に配設されており、支持ガラスＳＳが外部に露出している。そして、この支持ガラスＳＳにはシールテープＳＬが配設されており、このシールテープＳＬが支持ガラスＳＳよりヘッド基板２９３側を幅方向ＬＴＤから覆っている。したがって、レンズアレイＬＡ2の隙間ＢＤ2は支持ガラスＳＳによって塞がれ、さらに、ヘッド基板２９３とレンズアレイＬＡ2との間への塵埃の侵入を、シールテープＳＬにより抑制することができるため、良好な露光が実現可能となっている。
【００５６】
ちなみに、このような構成では、シールテープＳＬを設けたことで発生する応力が、支持ガラスＳＳを介してレンズアレイＬＡ2を湾曲させる方向に作用して、その結果で生じたレンズアレイＬＡ2の湾曲が良好な露光実現の妨げとなるおそれがある。また、支持ガラスＳＳから引き出されるシールテープＳＬと当該支持ガラスＳＳとの角度が大きいほど、支持ガラスＳＳを介してレンズアレイＬＡ2を湾曲させようとする力が大きくなると考えられる。したがって、レンズアレイＬＡ2の湾曲を抑制して良好な露光を確実に実現するという観点からは、支持ガラスＳＳから引き出されるシールテープＳＬと当該支持ガラスＳＳとの角度を小さく抑えることが好適となる。そこで、この実施形態では、レンズアレイＬＡ2の幅方向ＬＴＤの長さを支持ガラスＳＳの幅方向ＬＴＤの長さよりも長く構成している。つまり、このように構成した場合、レンズアレイＬＡ2が支持ガラスＳＳよりも幅方向ＬＴＤに突出して、このレンズアレイＬＡ2の幅方向ＬＴＤの一端がシールテープＳＬを支持ガラスＳＳの外側に突き出す（図９）。そのため、シールテープＳＬは支持ガラスＳＳから一定以下の角度で引き出されることとなる。こうして、この実施形態では、支持ガラスＳＳから引き出されるシールテープＳＬと当該支持ガラスＳＳとの角度を小さく抑えて、レンズアレイＬＡ2の湾曲を抑制し、良好な露光を確実に実現することが可能となっている。
【００５７】
また、本実施形態のように、シールテープＳＬにテンションが与えられている構成では、シールテープＳＬを設けたことによる応力が大きく、レンズアレイＬＡ2の湾曲に起因した問題が顕著となるおそれがあるが、本実施形態ではかかる問題に対して効果的に対応している。この点について図１０を用いてより具体的に説明すると、次のとおりである。ここで、図１０は本実施形態で奏される作用の説明図であり、参考形態と実施形態とが併記されており、いずれの形態においてもシールテープＳＬには同じテンション力Ｆtが与えられているものとする。同図に示す参考形態では、幅方向ＬＴＤにおいて支持ガラスＳＳに対してレンズアレイＬＡ2が突出しておらず、シールテープＳＬは、支持ガラスＳＳの幅方向ＬＴＤの端から略直角の角度θ2で引き出されてヘッド基板２９３に接着されている。したがって、シールテープＳＬにかかるテンション力Ｆtが支持ガラスＳＳに対して略直角に作用するため、このテンション力Ｆtの殆んどが支持ガラスＳＳ延いてはレンズアレイＬＡ2を湾曲させるように働く。一方、同図に示す実施形態では、幅方向ＬＴＤにおいて支持ガラスＳＳに対してレンズアレイＬＡ2が突出しており、このレンズアレイＬＡ2の幅方向ＬＴＤの一端がシールテープＳＬを支持ガラスＳＳの外側に突き出している。そのため、シールテープＳＬは、支持ガラスＳＳの幅方向ＬＴＤの端から比較的小さい角度θ1で引き出された後にヘッド基板２９３に接着される。したがって、シールテープＳＬにかかるテンション力Ｆtのうち一部の力Ｆrのみが支持ガラスＳＳに対して略直角に作用する。よって、支持ガラスＳＳ延いてはレンズアレイＬＡ2を湾曲させるように働く力を小さく抑えることができ、その結果、レンズアレイＬＡ2の湾曲を抑制し、良好な露光を確実に実現することが可能となっている。
【００５８】
その他
以上のように、上記実施形態では、ラインヘッド２９が本発明の「露光ヘッド」に相当し、感光体ドラム２１が本発明の「像担持体」に相当する。また、レンズアレイＬＡ2が本発明の「レンズアレイ」に相当し、ヘッド基板２９３が本発明の「発光素子基板」に相当し、支持ガラスＳＳが本発明の「光透過性基板」に相当し、シールテープＳＬが本発明の「シール部材」に相当し、長手方向ＬＧＤあるいは主走査方向ＭＤが本発明の「第１の方向」に相当し、幅方向ＬＴＤあるいは副走査方向ＳＤが本発明の「第２の方向」に相当する。
【００５９】
なお、本発明は上記実施形態に限定されるものではなく、その趣旨を逸脱しない限りにおいて上述したものに対して種々の変更を加えることが可能である。そこで、例えば、シールテープＳＬを、光を遮断する遮光性シールテープＳＬとしても良い。このような構成では、塵埃のみならず、ヘッド基板２９３とレンズアレイＬＡ2の間への迷光の侵入も抑制することができるため、迷光に起因したゴースト発生等の問題も容易に抑制することが可能となる。
【００６０】
また、上記実施形態では、本発明の「シール部材」としてシールテープＳＬを用いていたが、「シール部材」として用いることができるものはこれに限られず、ラインヘッド２９内部をシールすることができるものであるなら「シール部材」として用いることができる。
【００６１】
また、上記実施形態では、シールテープＳＬは、支持ガラスＳＳおよびヘッド基板２９３に取り付けられているが、この際の取り付け方法は種々のものを採用可能であり、接着剤により取り付けても良いし、ネジ止め等により取り付けても良い。
【００６２】
また、上記実施形態では、シールテープＳＬの端Ｓe2がヘッド基板表面２９３−hに取り付けられているが、シールテープＳＬの端Ｓe2の取り付け先はこれに限られない。したがって、例えば、シールテープＳＬを剛性部材２９９にまで引き出して、シールテープＳＬの端Ｓe2を剛性部材２９９に取り付けても良い。
【００６３】
また、上記実施形態では、スペーサーＳＰ1、レンズアレイＬＡ1、スペーサーＳＰ2およびレンズアレイＬＡ2の幅方向ＬＴＤの端面は面一に揃っているが、これらの端面は面一に揃っていなくても良い。
【００６４】
また、上記実施形態では、レンズアレイＬＡ2を支持するためにガラス製の平板（支持ガラスＳＳ）を用いたが、レンズアレイＬＡ2を支持する部材をガラス以外の材料で構成することもできる。
【００６５】
また、スペーサーＳＰ1、ＳＰ2の材料としては、種々の材料を採用することが可能であり、ガラス等の透明な部材をスペーサーＳＰ1、ＳＰ2として用いても良い。
【００６６】
もちろん、ガラス以外のもので構成しても良く、例えば、スペーサーＳＰ2を鉄等の金属により構成しても良い。
【００６７】
また、レンズアレイＬＡ1、ＬＡ2等の各部材の寸法関係についても、種々の変更が可能である。
【００６８】
また、上記実施形態では、複数のレンズアレイＬＡ1は、同一の形状および大きさを備えていたが、これらについても種々の変更が可能である。さらに、複数のレンズアレイＬＡ2についても同様の変更が可能である。
【００６９】
また、上記実施形態では、複数のスペーサーＳＰ1は、同一の形状および大きさを備えていたが、これらについても種々の変更が可能である。さらに、複数のスペーサーＳＰ2についても同様の変更が可能である。
【００７０】
また、上記実施形態の結像光学系は、反転像を形成するものであったが、正転像（つまり、反転していない像）を形成するものであっても良い。
【００７１】
また、上記実施形態の結像光学系は、縮小像を形成するものであったが、等倍像あるいは拡大像を形成するものであっても良い。
【００７２】
また、上記実施形態では、レンズアレイＬＡ1の裏面（厚さ方向ＴＫＤの他方面）にレンズＬＳ1が形成されていたが、レンズＬＳ1の形成位置はこれに限られない。
【００７３】
また、上記実施形態では、各レンズアレイＬＡ1、ＬＡ2において３行千鳥でレンズが並んでいたが、レンズの配置態様はこれに限られない。
【００７４】
また、上記実施形態では、レンズアレイＬＡ1、ＬＡ2は、ガラス基板ＳＢに樹脂製のレンズＬＳ1、ＬＳ2を形成したものであった。しかしながら、レンズアレイＬＡ1、ＬＡ2を１つの材料で一体的に構成することもできる。
【００７５】
また、上記実施形態では、複数の発光素子グループＥＧは３行千鳥で配置されていたが、複数の発光素子グループＥＧの配置態様はこれに限られない。
【００７６】
また、上記実施形態では、１５個の発光素子Ｅから発光素子グループＥＧが構成されている。しかしながら、発光素子グループＥＧを構成する発光素子Ｅの個数はこれに限られない。
【００７７】
また、上記実施形態では、発光素子グループＥＧ内において、複数の発光素子Ｅが２行千鳥で配置されていたが、発光素子グループＥＧ内での複数の発光素子Ｅの配置態様はこれに限られない。
【００７８】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。
【符号の説明】
【００７９】
ＬＡ1、ＬＡ2…レンズアレイ、  ＬＳ1、ＬＳ2…レンズ、  ＳＰ1、ＳＰ2…スペーサー、  ＳＳ…支持ガラス、  ２９３…ヘッド基板、  ＬＧＤ…長手方向、  ＬＴＤ…幅方向
【図１】
2011083962.tif 000003
【図２】
2011083962.tif 000004
【図３】
2011083962.tif 000005
【図４】
2011083962.tif 000006
【図５】
2011083962.tif 000007
【図６】
2011083962.tif 000008
【図７】
2011083962.tif 000009
【図８】
2011083962.tif 000010
【図９】
2011083962.tif 000011
【図１０】
2011083962.tif 000012